(57)【要約】【課題】包装箱から収納物を取り出した後に、簡単な操作で包装箱を表示面の広い置物にできるようにし、包装箱の付加価値を高くする。【解決手段】一枚のブランクを組み起こして形成された平板状の収納箱であり、底面板２の左右側辺の側壁板３を介してフラップ４を連接した翼板５を有して、この翼板５が底面板２の側方に展開可能とされ、底面板２の下辺の下壁板６を介して蓋受けフラップ７を連接した座板８を有して、この座板８が底面板２から離間する方向に引き起こし可能とされ、底面板２の上辺の上壁板１２を介して蓋板１３を連接した脚板１４を有して、この脚板１４が底面板２から離間する方向に引き起こし可能とされ、立て起こした底面板２の両側に翼板５を面一に展開し、脚板１４が底面板２から離間する方向に開く座板８に係脱可能に係止して、脚板１４で底面板２を底面板後傾状態で支持可能となる構成を有した。【選択図】図３
2017202867.tif 000002
【特許請求の範囲】
【請求項１】
一枚のブランクを組み起こして形成された平板状の箱体であって、
方形の底面板と、
前記底面板の左右の側辺に連接の側壁板とこの側壁板に連接されて底面板側に折り倒されているフラップとからそれぞれがなり、底面板の前記側辺側を回動の中心として底面板側方に展開可能とされた一対の翼板と、
前記底面板の下辺に連接の下壁板とこの下壁板に連接されて底面板側に折り倒され前記フラップの上に折り重ねられている蓋受けフラップとからなり、底面板の下辺側を回動の中心として底面板から離間する方向に展開可能とされた座板と、
前記底面板の上辺に連接の上壁板とこの上壁板に連接されて底面板側に折り倒されて前記蓋受けフラップの上に折り重ねられ、蓋受けフラップに係脱可能に係止した蓋板とからなり、底面板の上辺側を回動の中心として底面板から離間する方向に展開可能とされた脚板とを備えて、
前記座板の蓋受けフラップには、底面板の上辺側に脚板係止手段が位置していて、
底面板から離間する方向に開いた脚板が、底面板から離間する方向に開く座板の前記脚板係止手段に係脱可能に係止して、底面板側方に一対の前記翼板を展開して立て起こした底面板を、底面板後傾状態で支持可能とした構成を有することを特徴とする包装箱。
【請求項２】
上記翼板それぞれのフラップには、底面板上下方向での下辺に上記座板での下壁板の箱内面側に重なる補助脚板が連接されていて、立て起こした底面板の側方に翼板が展開したときに前記補助脚板が底面板上下方向での下方に展開して接地可能とした構成を有する請求項１に記載の包装箱。
【発明の詳細な説明】
【技術分野】
【０００１】
本発明は、収納物を取り出した後に置物とすることが可能な包装箱に関するものである。
【背景技術】
【０００２】
近年の外国人観光客の増加に伴い、主に土産を取り扱う商店などにおいて日本土産であることをイメージさせる風景や絵柄等を印刷した商品や包装物の需要が高まっている。
【０００３】
このような需要の高まりを受け、特許文献１に示すように、箱本体とこれに被せ付ける蓋体とからなる箱体であり、蓋体表面に美人画を描いた包装箱において、蓋体の裏面に設けられた支持脚を突出させて、内容物を取り出した後も蓋体表面の美人画を室内に飾る置物の一つとすることができる包装箱が提案されている。
【０００４】
特許文献１のような包装箱では内容物を取り出すことにより包装機能を終えた後は蓋体のみが置物として再利用され、内容物を収納していた箱本体側は再利用されずに廃棄処分となる。すなわち、再利用されるのは包装箱の一部のみであり、蓋体表面に描かれた美人画に心を惹かれて商品を購入した消費者にとって商品を取り出した後の箱本体は無駄となっていた。
【０００５】
特許文献２においては、箱本体を不要物とせずに廃棄物を減らす工夫として、箱本体部に表示部を連接した包装箱が提案されている。
【０００６】
上記特許文献２の包装箱は日本土産とは関わりの無いＣＤ等の包装箱であり、包装箱の側板から連接された複数の表示部を有し、例えば第二実施形態においては表示部を観音開き形態に開くことにより、表示された内容の全体を見ることを可能とした包装箱である。
【０００７】
このような包装箱においては、包装箱と一体となっている表示部に日本土産であることをイメージさせる風景や絵柄等を印刷することにより、内容物を取り出した後も表示部を見えるようにして包装箱全体を置物とすることも可能となる。
【０００８】
しかし、特許文献２のような包装箱においては、表示部には説明文を表記することが想定されており、表示部が前面となるように立てて包装箱全体を置物のようにすることは想定されていない。
【０００９】
そのため、包装箱の使用者が表示部の内容を見るためには、包装箱を収納している収納場所からこの包装箱を取り出してその都度表示部を聞かなければならず、室内に飾って日本旅行の想い出を想起させるような置物として使用するには相応しくない。
【００１０】
特許文献３には、箱全体を置物として再利用可能とする包装箱が示されている。
【００１１】
この特許文献３の包装箱においては、包装箱の高さ方向の略半分から上の部分をこの包装箱の前面板の略中央から切り聞き、切り開いた上半分を裏側に折り曲げてその背面板の先端を包装箱の下半分のケース部分に底から差し込んでケース部分と上半分とで三角筒を構成するようにしている。
【００１２】
そして、上記ケース部分が斜めに立てられると共に、正面から見たときに切り開いた上半分の側面板及び前面板が、ケース部分の両脇に並んだ状態となる。このような包装箱においては、内容物を取り出した後も上述のように組み立てることにより、包装箱全体をスタンドとして再利用することができる。
【先行技術文献】
【特許文献】
【００１３】
【特許文献１】実用新案登録第３１９７５５２号公報
【特許文献２】実用新案登録第３１２２５５９号公報
【特許文献３】実用新案登録第３１７２８１３号公報
【発明の概要】
【発明が解決しようとする課題】
【００１４】
特許文献３のような包装箱をスタンドとして組み立てた状態においては、切り開いた上半分の側面板及び前面板は包装箱下半分のケース部分よりも奥に配置されている。また、ケース部分が斜めに起立しているのに対し、上半分の側面板及び前面板は水平板及び垂直板を構成している。このような構成により、特許文献３のような包装箱においては、ケース部分と上半分の側面板及び前面板とを一体と見ることはできず、明らかに別の部分を構成することとなる。
【００１５】
よって、横方向に広がる風景や絵柄をケース部分から上半分の側面板及び前面板に亘って一連でつながるように表示することは好ましくない。また、上半分の側面板及び前面板のうち水平板を構成している部分に表示された内容は、スタンドを上方から見た場合にしか確認できないという問題もある。
【００１６】
このため、上記ケース部分に電子機器等を挿入するスタンドとしての利用はできるが、スタンドの前面に装飾を施すことによりスタンドを室内装飾の一つとするには特許文献３のような包装箱は適さない。
【００１７】
さらに、特許文献３のような包装箱を内容物取り出し後にスタンドとして再利用するためには、上半分を切り開いて折り曲げて差し込むという複数の工程を経る煩雑な作業を行なう必要がある。
【００１８】
そこで、本発明は上記事情に鑑み、包装箱から収納物を取り出した後に、簡単な操作で包装箱を表示面の広い置物にできるようにすることを課題とし、包装箱の付加価値を高くすることを目的とする。
【課題を解決するための手段】
【００１９】
（請求項１の発明）
本発明は上記課題を考慮してなされたもので、一枚のブランクを組み起こして形成された平板状の箱体であって、
方形の底面板と、
前記底面板の左右の側辺に連接の側壁板とこの側壁板に連接されて底面板側に折り倒されているフラップとからそれぞれがなり、底面板の前記側辺側を回動の中心として底面板側方に展開可能とされた一対の翼板と、
前記底面板の下辺に連接の下壁板とこの下壁板に連接されて底面板側に折り倒され前記フラップの上に折り重ねられている蓋受けフラップとからなり、底面板の下辺側を回動の中心として底面板から離間する方向に展開可能とされた座板と、
前記底面板の上辺に連接の上壁板とこの上壁板に連接されて底面板側に折り倒されて前記蓋受けフラップの上に折り重ねられ、蓋受けフラップに係脱可能に係止した蓋板とからなり、底面板の上辺側を回動の中心として底面板から離間する方向に展開可能とされた脚板とを備えて、
前記座板の蓋受けフラップには、底面板の上辺側に脚板係止手段が位置していて、
底面板から離間する方向に開いた脚板が、底面板から離間する方向に開く座板の前記脚板係止手段に係脱可能に係止して、底面板側方に一対の前記翼板を展開して立て起こした底面板を、底面板後傾状態で支持可能とした構成を有することを特徴とする包装箱を提供して、上記課題を解消するものである。
【００２０】
（請求項２の発明）
また、本発明において、上記翼板それぞれのフラップには、底面板上下方向での下辺に上記座板での下壁板の箱内面側に重なる補助脚板が連接されていて、立て起こした底面板の側方に翼板が展開したときに前記補助脚板が底面板上下方向での下方に展開して接地可能とした構成を有することが良好である。
【発明の効果】
【００２１】
（請求項１の発明の効果）
請求項１の発明によれば、収納箱は一枚のブランクを組み起こして形成された平板状の箱体としている。そして、収納箱は、底面板の左右側辺の側壁板を介してフラップを連接していて、この側壁板とフラップとが連接してなる板材を翼板とし、この翼板を底面板の左右に対にして有している。そして底面板にフラップを相対させる状態にして折り倒されている翼板は、底面板の側方に展開可能とされている。
【００２２】
また底面板の下辺の下壁板を介して蓋受けフラップを連接していて、この下壁板と蓋受けフラップとが連接してなる板材を座板として有している。そして底面板側に折り倒してフラップに蓋受けフラップを重ねている座板は、底面板から離間する方向に引き起こすように展開可能とされている。
【００２３】
また底面板の上辺の上壁板を介して蓋板を連接していて、この上壁板と蓋板とが連接してなる板材を脚板として有している。そして底面板側に折り倒して蓋受けフラップに蓋板を重ねている脚板は、底面板から離間する方向に引き起こすように展開可能とされている。
【００２４】
さらに底面板側方に一対の翼板を展開して立て起こした底面板を、座板に係止させた脚板にて底面板後傾状態で支持可能としていることから、立て起こした際の底面板と翼板とで横一連に連続する部分を、事前に印刷しておく広い化粧部分として利用できる。これにより底面板を立て置いたときには、その広い化粧部分を利用して例えば風景や絵柄などを示す表示を備えた置物となり、収納物を取り出し後の包装箱を、インテリアの一つとして飾ることが可能となる。
【００２５】
このようにインテリアとなるような美しい風景や絵柄が印刷された包装箱とすることにより、消費者の購買意欲を高める販売促進効果も奏する。特に、印刷された内容が日本土産であることをイメージさせる風景や絵柄などであれば、近年増加している外国人観光客に対する販売促進効果を向上させる。
【００２６】
また、底面板を立て起こしたとき、一対の翼板と底面板とが同一面となるように構成され、横一連になって連なる底面板と翼板との全体に亘って一連の風景や絵柄を表示することも可能となる。これにより、底面板や蓋板のみに表示する場合と比べて表示サイズの制限が厳しくなく、壮大な風景や大きな絵柄を含めた様々な内容を表示することが可能であり、デザインの幅を広げることが可能となる。
【００２７】
また、収納物を収納した状態から置物の状態にする際には、一対の翼板を底面板の側方に広げるとともに、底面板から開いた座板に同じく底面板から開いた脚板を係止させて底面板を立て起こすという非常に簡単な作業となるため、利便性に富んだ包装箱が得られる。
【００２８】
（請求項２の発明の効果）
請求項２の発明によれば、翼板それぞれのフランジに補助脚板が設けられ、この補助脚板が底面板上下方向での下方に展開して接地可能としているので、底面板を後傾させて立て起こす際に、この底面板を立て起こすように置く平板などの面に前記補助脚板を接地させて、翼板それぞれを安定させることが簡単に行なえる。
【図面の簡単な説明】
【００２９】
【図１】本発明に係る包装箱の実施の形態を斜め上方から見た状態で示す説明図である。
【図２】実施の形態を展開した状態で示す説明図である。
【図３】置物を斜め前方から見た状態を示す説明図である。
【図４】同じく置物を側方から見た状態で示す説明図である。
【発明を実施するための形態】
【００３０】
つぎに本発明を図１から図４に示す実施の形態に基づいて詳細に説明する。図中１は包装箱で、一枚の厚紙や段ボールなどの紙材からなるブランクを組み起こして図１に示すように平板状の箱体としており、箱高さ方向の寸法を小にして上方から見た平面視形状を矩形としているものである。
【００３１】
（底面板、翼板）
包装箱１を図２に示されたブランクに基づいて展開した状態で説明すると、この包装箱１は、方形の底面板２の左右の側辺に側壁板３が連接され、この側壁板３の底面板２とは反対の辺にフラップ４が連接されていて、フラップ４が底面板２側に折り倒されている。そして、側壁板３とこの側壁板３に連接の前記フラップ４とで翼板５を構成しており、この翼板５を、底面板の側辺側を回動の中心として底面板側方に展開可能となる状態にして対にして有している。
【００３２】
（座板）
またブランクで示されているように、底面板２の下辺に下壁板６が連接され、この下壁板６の底面板２とは反対の辺に蓋受けフラップ７が連接されている。蓋受けフラップ７は底面板２側に折り倒されていて、翼板５における上記フラップ４の上に折り重ねられている。そして、下壁板６と下壁板６に連接の蓋受けフラップ７とで座板８を構成しており、この座板８を、底面板２の下辺側を回動の中心として底面板から離間する引き起こしの方向に展開可能としている。
【００３３】
座板８の蓋受けフラップ７は、後述するようにこの包装箱１の蓋部分の面板を被せ付けて係止できるようにした蓋板係止手段９を有していて、図示されているように下壁板６との間の折り部の位置に重なるようにスリットを入れて設けられている。
【００３４】
さらに座板８の蓋受けフラップ７は、底面板２の上辺側に延長され、この延長領域の部分に蓋受けフラップの幅方向にした折り部を介して折り返し用板１０を設けていて、前記延長領域での折り返し用板１０に沿う前記折り部の位置に重なるようにしてスリットを入れて、蓋板係止手段９と同様に前記スリットからなる脚板係止手段１１が設けられている。なお、包装箱１の形態では、座板８の蓋受けフラップ７は折り返し用板１０が折り返されることはなく、平板として上記フラップ４の上に重なるものである。
【００３５】
（脚板）
底面板２の上辺に上壁板１２が連接され、この上壁板１２の底面板２とは反対の辺に蓋板１３が連接されている。蓋板１３は底面板２側に折り倒されていて、上記座板８における蓋受けフラップ７の上に折り重ねられている。そして、前記下壁板１２とこの下壁板１２に連接の前記蓋板１３とで脚板１５を構成しており、この脚板１５を、底面板２の上辺側を回動の中心として底面板２から離間する引き起こしの方向に展開可能としている。
【００３６】
脚板１４における蓋板１３は、上記フラップ４と蓋受けフラップ７とを覆って蓋受けフラップ７の上面に重ね合わされている。そして、蓋板１３での上記下壁板６の位置に対応する辺に係止片１５が折り部を介して連接されていて、係止片１５を上記蓋板係止手段９に挿し入れることで、蓋板１３が蓋受けフラップ７に係脱可能に係止し、この包装箱１の収納空間を閉じるようにしている。
【００３７】
また上記係止片１５は、座板８における上記脚板係止手段１１にも挿し入れることができるものであり、この係止片１５を脚板係止手段１１に入れた形態でも脚板１４と座板８とを連結できるものとなっている。なお、包装箱１から収納物を取り出すには、脚板１１の蓋板１３を引き起こすとともに、座板８の蓋受けフラップ７、翼板１３のフラップ４を開くようにすればよい。
【００３８】
（底面板立て起こし）
収納物を取り出した後の包装箱１にあっては、底面板２を立て起こして包装箱１の箱体形態時にこの底面板２の下面となっていた面を表示面とする置物の形態にすることができるものである。
【００３９】
この置物の形態とする場合には、上述した収納物を取り出した後の時点で、底面板２を立て起こして翼板５それぞれを展開し、この底面板２が後傾した状態で維持されるようにする。まず、立て起こした底面板２から離間する引き起こしの方向（底面板２での収納空間側となっていた面から離れる方向）に、底面板２の下辺側を回動の中心にして座板８を開くとともに、底面板２から離間する引き起こしの方向に、底面板２の上辺側を回動の中心にして脚板１１を開くようにする。
【００４０】
また翼板５それぞれも、立て起こした底面板２からこの底面板２の側方となる方向に底面板２の側辺側を回動の中心として展開して、底面板２を中央としてその両側方に側壁板３とフラップ４とが底面板２と面一となる状態にして横一連にして広げるようにする。
【００４１】
翼板５におけるフラップ４それぞれには、図２のブランクで示すように底面板２の上下方向での下辺に折り部を介して補助脚板１６が連接されていて、箱体の形態の時点では上記座板８での下壁板６の箱内面側に重なっている。そして翼板５を底面板２と面一に展開する時点では、フラップ４の下辺の折り部が有していた包材の復元力の働きや手操作によってこの補助脚板１６が下方に向けて回動するように展開することで下向きに起きた板材となり、底面板２を立て起こした状態で置くテーブルなどの載置面に接地可能となる。
【００４２】
上記座版８での折り返し用板１０を上方側に折り起こした状態にして、この折り返し用板１０の外方側（底面板２とは反対側）に蓋板１３を重ねるようにしながら係止片１５を脚板係止手段１１に挿し入れる。これによって座板５と脚板１４とが連結されて、立て起こされた底面板２と脚板１４と座板８とで略三角筒の形態を構成する。立て起こされた底面板２は上記一対の翼板５とともに後傾して脚板１４に支持される状態となり、この状態で置物としてテーブルなどの面に置くことができる。（図３、４参照）
【００４３】
後傾した底面板２とその両側方に展開している翼板５とは上述したように面一に並ぶものとなり、箱体の形態時に底面板２の下面を正面として横に幅広の表示面を有した置物になる。展開した翼板５それぞれは上述したように補助脚板１６が接地し、フラップ４それぞれを支えて全体を安定させる上で有効である。
【符号の説明】
【００４４】
１…包装箱
２…底面板
３…側壁板
４…フラップ
５…翼板
６…下壁板
７…蓋受けフラップ
８…座板
９…蓋板係止手段
１０…折り返し用板
１１…脚板係止手段
１２…上壁板
１３…蓋板
１４…脚板
１５…係止片
１６…補助脚板
【図１】
2017202867.tif 000003
【図２】
2017202867.tif 000004
【図３】
2017202867.tif 000005
【図４】
2017202867.tif 000006